(57)【要約】  【課題】   信頼性が高くかつ小型で拡張性の高いバイオセンシングシステムを提供する。  【解決手段】  分析装置１ａ、１ｂとは別構成で、この分析装置１ａ、１ｂを無線通信により制御する制御手段としてコントロールボックス８を備えている。このコントロールボックス８は赤外線通信機能部７ｃを備えており、あらかじめコントロールボックス８に入力されたバイオセンサ２ａ、２ｂのパラメータ情報や検出対象物質の測定方法や演算処理情報が赤外線通信機能部７ｃを介してコントロールボックス８から２台の分析装置１ａ、１ｂに同時に送信され、それらの情報を分析装置１ａ、１ｂが受信し測定可能となる。【選択図】  図１
2006208018.tif 000002
【特許請求の範囲】
【請求項１】
分析装置を用いて生体試料を分析するバイオセンシングシステムにおいて、前記分析装置を無線通信により制御する制御手段を備えた、ことを特徴とするバイオセンシングシステム。
【請求項２】
前記分析装置を制御する制御データを保持する保持手段を前記制御手段と分離可能に設け、前記制御手段が前記制御データに基づいて前記分析装置を制御する、ことを特徴とする請求項１記載のバイオセンシングシステム。
【請求項３】
前記分析装置は前記制御手段へデータを送信する送信手段を備えた、ことを特徴とする請求項１記載のバイオセンシングシステム。
【請求項４】
前記制御手段は前記分析装置を識別する識別手段を備えた、ことを特徴とする請求項１記載のバイオセンシングシステム。
【請求項５】
前記制御手段は他の機器とデータ通信する端子を備えた、ことを特徴とする請求項１記載のバイオセンシングシステム。
【請求項６】
前記制御手段は前記制御データを指定する指定手段を備え、前記指定手段が指定する制御データに基づいて前記制御手段が前記分析装置を制御する、ことを特徴とする請求項１記載のバイオセンシングシステム。
【請求項７】
前記指定手段が指定する制御データを画像表示する表示手段を前記制御手段に設けた、ことを特徴とする請求項６記載のバイオセンシングシステム。
【請求項８】
前記分析装置の制御履歴または前記分析装置による分析結果、を外部記憶装置に出力する出力手段を前記制御手段に設けた、ことを特徴とする請求項１記載のバイオセンシングシステム。
【発明の詳細な説明】
【技術分野】
【０００１】
本発明は、分析装置を用いて生体試料を分析するバイオセンシングシステムに関する。
【背景技術】
【０００２】
まず、従来のバイオセンシングシステムについて説明する。従来のバイオセンシングシステムの概略構成図を図３に示す。図３において、分析装置１は使い捨てのバイオセンサ２がバイオセンサスロット３に挿入されると、バイオセンサ２に添加された液体試料の検出対象物質の濃度を測定する。
【０００３】
分析装置１は、さらに、制御用ボタン４と測定結果や測定の状況を表示するディスプレイ５を備えており、ＲＯＭキー６を接続可能に構成されている。このＲＯＭキー６にはバイオセンサ２の性質に関する情報やバイオセンサ２で測定するために必要なアルゴリズムが格納されている。ＲＯＭキー６を交換すれば、検出対象物質が変わって違う性質のバイオセンサ２を使用しても、分析装置１を再設計してアルゴリズムの変更を行う必要がない（例えば、特許文献１参照）。
【特許文献１】特許第２７０２２８６号公報
【発明の開示】
【発明が解決しようとする課題】
【０００４】
しかしながら、前記従来の構成では、ＲＯＭキーを差し込むために分析装置に設けられた接続端子は外部に露出しているため、液体試料を取り扱う際に汚染されやすく、さび等により接続に不具合が発生しやすい。また、ＲＯＭキーを差し込む部分を確保するため、分析装置を小型化することが困難であり、さらに、バイオセンサ交換の際、分析装置に接触した状態で、ＲＯＭキーを交換するため、液体試料に血液を使用する場合、血液が汚染されていれば、汚染された血液から病気などに感染する可能性がある。
【０００５】
また、ＲＯＭキーは各分析装置に対して必ず１個必要であるため、分析装置を２台以上、同時に使用する場合、複数のＲＯＭキーが必要である。このため、バイオセンサとともにＲＯＭキーを購入する必要があり、バイオセンサの単価が高価なものとなっている。使用する機器を追加して、プリンタなどの機器を使用する場合には、分析装置に接続端子を増設する必要があり、分析装置を再設計しなければならない。
【０００６】
本発明は、これらの課題を解決するもので、信頼性が高くかつ小型で拡張性の高いバイオセンシングシステムを提供することを目的とする。
【課題を解決するための手段】
【０００７】
従来の課題を解決するために、分析装置を用いて生体試料を分析するバイオセンシングシステムにおいて、分析装置を無線通信により制御する制御手段を備えたことを特徴としたものである。
【０００８】
また、分析装置を制御する制御データを保持する保持手段を制御手段と分離可能に設け、制御手段が制御データに基づいて分析装置を制御することを特徴とする。
【０００９】
また、分析装置は制御手段へデータを送信する送信手段を備えたことを特徴とする。
【００１０】
また、制御手段は分析装置を識別する識別手段を備えたことを特徴とする。
【００１１】
また、制御手段は他の機器とデータ通信する端子を備えたことを特徴とする。
【００１２】
また、制御手段は制御データを指定する指定手段を備え、指定手段が指定する制御データに基づいて制御手段が分析装置を制御することを特徴とする。
【００１３】
さらに、指定手段が指定する制御データを画像表示する表示手段を制御手段に設けたことを特徴とする。
【００１４】
また、分析装置の制御履歴または分析装置による分析結果、を外部記憶装置に出力する出力手段を制御手段に設けたことを特徴とする。
【発明の効果】
【００１５】
本発明のバイオセンシングシステムによれば、分析装置とは別に、この分析装置を無線通信により制御する制御手段としてコントロールボックスを備え、このコントロールボックスに入力された処理データと制御アルゴリズムを無線通信により分析装置に入力することができることから、信頼性が高くかつ小型で拡張性の高いバイオセンシングシステムを提供することができる。
【発明を実施するための最良の形態】
【００１６】
以下に、本発明のバイオセンシングシステムの実施例を図面とともに詳細に説明する。
【実施例１】
【００１７】
図１は、本発明のバイオセンシングシステムの一例を示す斜視図である。
【００１８】
図１において、バイオセンサは２ａ、２ｂは測定する試料の検出対象物質に対して反応し、電気化学的反応や呈色反応を示す。この反応状況を分析装置１ａ、１ｂを用いて計測し、検出対象物質の濃度を測定する。このバイオセンサ２ａ、２ｂは検出対象物質の種類によって測定方法や演算処理が違う。また、同一の対象物質を測定するバイオセンサ２ａ、２ｂであっても、センサーの製造ロットによりパラメータ情報が違うため濃度の換算値が違う。
【００１９】
このバイオセンサ２ａ、２ｂが装着された分析装置１ａ、１ｂの２台には赤外線通信機能部７ａ、７ｂが備えられており、この赤外線通信機能部７ａ、７ｂを介してバイオセンサ２ａ、２ｂのパラメータ情報や検出対象物質の測定方法や演算処理情報を分析装置１ａ、１ｂに送る。分析装置１ａ、１ｂではバイオセンサ２ａ、２ｂのパラメータ情報や検出対象物質の測定方法や演算処理情報を受信すると、これらの情報を保持する構成となっている。
【００２０】
また、このバイオセンシングシステムは、分析装置１ａ、１ｂとは別構成で、この分析装置１ａ、１ｂを無線通信により制御する制御手段としてコントロールボックス８を備えている。このコントロールボックス８は分析装置１ａ、１ｂと同様の赤外線通信機能部７ｃを備えており、あらかじめコントロールボックス８に入力されたバイオセンサ２ａ、２ｂのパラメータ情報や検出対象物質の測定方法や演算処理情報が赤外線通信機能部７ｃを介してコントロールボックス８から２台の分析装置１ａ、１ｂに同時に送信されるので、それらの情報を分析装置１ａ、１ｂが受信し測定可能となる。
【００２１】
したがって、赤外線通信部７は小型で密閉可能なため、分析装置１ａ、１ｂへの液体試料による汚染を防げ、分析装置１ａ、１ｂの小型化が可能になる。また、分析装置１ａ、１ｂの２台の分析装置を用いて同時に分析を行うことができるので、効率的な分析が可能となる。本実施例においては、分析装置を２台としたが、２台以上の分析装置を用いてもよい。また、本実施例においては、通信方法として赤外線通信を用いたが、他の通信方法を使用しても同様の効果が得られる。
【００２２】
コントロールボックス８には、ＲＯＭキー６ａや市販のカードメモリー９が接続可能となっている。ＲＯＭキー６ａが１個とバイオセンサ２ａ、２ｂが数十枚とがユーザーに対して同時梱包されて供給される。ＲＯＭキー６ａにはバイオセンサ２ａ、２ｂのパラメータ情報や検出対象物質の測定方法や演算処理情報が入力されており、コントロールボックス８にＲＯＭキー６ａを差し込むことにより、自動的に情報がコントロールボックス８に入力され、分析装置１ａ、１ｂに情報を転送するので、ＲＯＭキー６ａを差し替えて分析装置１ａ、１ｂに情報を入力する必要がなく、２台以上の分析装置を用いた同時測定が可能となる。また、分析装置に直接触れずにＲＯＭキーを交換できるため血液などの液体試料を扱う場合に感染の危険性が無くなる。
【００２３】
また、分析装置１ａ、１ｂには、測定後自動的に測定データや分析装置の情報を赤外線通信機能部７ａ、７ｂを介してコントロールボックス８に送るようにプログラムされており、コントロールボックス８に送られたそれらの情報を市販のカードメモリー９に入力し保存や情報の持ち運びが可能になる。
【００２４】
また、コントロールボックス８にはディスプレイ５ａが備えられており、送受信される情報が確認可能なため、医療診断を行うシステムにおいて、コントロールボックス８だけで一括して管理できるので、わざわざ患者さんの前で分析装置１ａ、１ｂを操作する必要がなく、コントロールボックス８を使用して効果的な診断が行うことができる。
【００２５】
また、コントロールボックス８は入力ボタン１０を備えており、医療診断を行うシステムにおいては患者さんの識別を行うＩＤ番号が必要で、入力ボタン１０を備えることによりＩＤ番号が入力可能となり有効な診断システムとなる。
【００２６】
また、コントロールボックス８はそれぞれの分析装置１ａ、１ｂから送られるメータの管理番号により分析装置を識別し、この管理番号によってそれぞれの分析装置１ａ、１ｂに必要な情報をコントロールボックス８にて管理して、限定して送信できる構成となっており、この構成によれば、２台以上の分析装置を用いて、異なる検出対象物質の測定が同時に可能となり、測定を効率的に行うことができる。
【実施例２】
【００２７】
図２は、本発明の実施例２のバイオセンシングシステムのコントロールボックスの斜視図を示す。図２において、コントロールボックス８に入出力端子１１を備えることによりプリンタ１２を接続でき、医療診断を行うシステムにおいては出力した測定結果を医療証拠としてカルテに添付することが可能になる。分析装置にではなくコントロールボックス１０に備えることにより、分析装置を２台以上使用する場合はプリンタ１２をそれぞれの本体に合わせて付け替える必要がないので非常に効率的である。
【００２８】
また、同様にコントロールボックス８に入出力端子１１を備えることによりスキャナ１３が接続でき、医療診断を行うシステムにおいてバーコードによる患者さんのＩＤ番号の入力やバイオセンサの管理番号によるパラメータ情報の確認が可能で、信頼性の高いバイオセンシングシステムとなる。
【００２９】
また、これらのプリンタ、スキャナなどの拡張機能はコントロールボックスに付けられ、分析装置は測定と送受信機能だけのシンプルな構成になるため、今後追加の拡張機能を新たに設けても、コントロールボックスだけの変更だけで、すでに使用されている分析装置を変更する必要がないので、拡張機能の追加などが容易に行われる。
【産業上の利用可能性】
【００３０】
本発明にかかるバイオセンシングシステムは、コントロールボックスから無線通信により分析装置にバイオセンサのパラメータ情報や検出対象物質の測定方法や演算処理情報を送るため、分析装置を信頼性が高くかつ小型で拡張性が高く維持できるため、複数の分析装置を使用する場合に有用である。
【図面の簡単な説明】
【００３１】
【図１】本発明の実施例１におけるバイオセンシングシステムの斜視図
【図２】本発明の実施例２におけるバイオセンシングシステムのコントロールボックスの斜視図
【図３】従来のバイオセンシングシステムの概略構成図
【符号の説明】
【００３２】
１、１ａ、１ｂ  分析装置
２、２ａ、２ｂ  バイオセンサ
３  バイオセンサスロット
４  制御用ボタン
５、５ａ  ディスプレイ
６、６ａ  ＲＯＭキー
７ａ、７ｂ、７ｃ  赤外線通信機能部
８  コントロールボックス
９  市販のカードメモリー
１０  入力ボタン
１１  入出力端子
１２  プリンタ
１３  スキャナ
【図１】
2006208018.tif 000003
【図２】
2006208018.tif 000004
【図３】
2006208018.tif 000005